(57)【要約】【技術課題】低コストにより製造できる自開式ヒンジキャップを提供する。【解決手段】キャップ本体１にヒンジ３、３ａを介して蓋２を射出成形用金型を用いて一体成形すると共に前記キャップ本体１と蓋２を前記ヒンジ３、３ａ部分において伸縮性開放部材４で連結し、この伸縮性開放部材４の収縮の作用により前記蓋２をヒンジ３、３ａを中心として自開するように構成する。そして、前記伸縮性開放部材４も、射出成形用金型を用いて、蓋２の成形時に一体成形（二色射出成形）する。【選択図】　　　　図１
2004067185.tif 000002
【特許請求の範囲】
【請求項１】
本体にヒンジを介して蓋を一体成形すると共に前記本体と蓋を前記ヒンジ部分において伸縮性開放部材を用いて連結し、この伸縮性開放部材の収縮の作用により前記蓋はヒンジを中心として自開することを特徴とする自開式ヒンジキャップ。
【請求項２】
請求項１に記載の本体及びヒンジ及び蓋並びに伸縮性開放部材は、射出成形用金型を用いて一体成形されていることを特徴とする自開式ヒンジキャップ。
【請求項３】
本体にヒンジを介して蓋を一体成形すると共に前記ヒンジ部分であって、蓋の内側にバネ弾性開放部材を組み込み、蓋を閉じた状態においては前記バネ弾性開放部材は蓋と本体間で圧迫されて収縮し、蓋のロックが外されると、前記バネ弾性開放部材の作用により前記蓋はヒンジを中心として自開することを特徴とする自開式ヒンジキャップ。
【請求項４】
請求項３に記載の本体及び蓋並びにヒンジ及びバネ弾性開放部材は、射出成形用金型を用いて一体成形されていることを特徴とする自開式ヒンジキャップ。
【請求項５】
請求項１〜３に記載の伸縮性開放部材又はバネ弾性開放部材は、左右のヒンジの間又は１本のヒンジを中央にしてその両サイド側に形成されていることを特徴とする自開式ヒンジキャップ。
【請求項６】
請求項３〜５に記載のバネ弾性開放部材は、本体及び蓋の外側に円曲又は屈曲した状態で突出していることを特徴とする自開式ヒンジキャップ。
【請求項７】
請求項６に記載のバネ弾性部材の円曲又は屈曲部は、ヒンジの回転中心部を通る水平面より上方に位置していることを特徴とする自開式ヒンジキャップ。
【請求項８】
請求項１〜７において、キャップ本体と伸縮性開放部材又はバネ弾性開放部材間には、伸縮性開放部材又はバネ弾性開放部材間を外側に押し出して支点を変える突起又はバネ板が設けられていて、蓋の開放時の初期動作において、蓋を開放する方向に助勢するように構成されていることを特徴とする自開式ヒンジキャップ。
【請求項９】
請求項８に記載の突起又はバネ板は、キャップ本体側又は伸縮性開放部材又はバネ弾性開放部材側に形成されていることを特徴とする自開式ヒンジキャップ。
【発明の詳細な説明】
【０００１】
【発明の属する技術分野】
本発明は、ヒンジで開閉が行われるプラスチック射出成形の容器、ケース等のキャップに関し、更に詳しくは、閉じている蓋の爪（ロック）を外すと、この蓋が独りでに全開する所謂自開式ヒンジキャップに関する。
【０００２】
【従来の技術】
プラスチック樹脂を材料に射出成形された液体容器、あるいはクリーム容器、あるいはケース（箱）等であって、ヒンジを中心に開閉できるものの中に、キャップ本体と蓋及びヒンジを、射出成形法により一体成形したものがある。このキャップは、ロック用の爪を外して蓋を解放しても、ヒンジの作用で多少は開くが、例えば９０°以上開くためには、指先で蓋を少し開いてやる初動操作が必要になる。又、この種ヒンジキャップと称されるものの中に、ヒンジ以外にＬ字状の弾性板をキャップ本体と蓋との間に取り付け、この弾性板の作用で独りでに自開、又は自閉するタイプのものもある。例えば、実公平７−５２０４３号、同７−１８６００号、実用新案登録第２５７２３８３号、特開平１０−０２４９４９号、同７−２９９３５２号、同１０−１２００６８号など。
しかし、この公知例の場合も、蓋を全開又は全閉させるためには、指先で少し蓋を動かす初動操作が必要であって、閉じている蓋がロックを外すと独りでに全開することはない。
【０００３】
また、蓋と一体成形のヒンジをやめて、例えば、図１２に示すように、蓋ａを容器ｂに対して蝶番式の支軸ｃを用いて取り付け、前記支軸ｃに取り付けたコイルスプリングｄの作用でロック爪ｅを操作してロックを外すと、蓋ａは図１２に示すように独りでに全開すると云う構造を採用した自開式のキャップもある。
【０００４】
しかし、このように蓋ａを支軸ｂに取り付けたり、コイルスプリングｄを用いたりして蓋ａが自開する方式を採用すると、部品点数が多くなり、また組み立てに手数がかかり、コスト高となる。
【０００５】
【発明が解決しようとする課題】
本発明は、斯る点に鑑みて提供されるものであって、その目的は、プラスチック樹脂を材料に射出成形用金型で一体成形が可能な自開機構を持つ容器、ケース等の自開式ヒンジキャップを提供することである。
【０００６】
【課題を解決するための手段】
上記目的を達成するため、請求項１に記載の発明においては、自開式ヒンジキャップにおいて、本体にヒンジを介して蓋を一体成形すると共に前記本体と蓋を前記ヒンジ部分において伸縮性開放部材を用いて連結し、この伸縮性開放部材の収縮の作用により前記蓋はヒンジを中心として自開することを特徴とするものである。
【０００７】
更に、請求項２に記載の発明においては、請求項１に記載の発明において、本体及びヒンジ及び蓋並びに伸縮性開放部材は、射出成形用金型を用いて一体成形されていることを特徴とするものである。
【０００８】
更に、請求項３に記載の発明においては、自開式ヒンジキャップにおいて、本体にヒンジを介して蓋を一体成形すると共に前記ヒンジ部分であって、蓋の内側にバネ弾性開放部材を組み込み、蓋を閉じた状態においては前記バネ弾性開放部材は蓋と本体間で圧迫されて収縮し、蓋のロックが外されると、前記バネ弾性開放部材の作用により前記蓋はヒンジを中心として自開することを特徴とするものである。
【０００９】
更に、請求項４に記載の発明においては、請求項３に記載の発明において、本体及び蓋並びにヒンジ及びバネ弾性開放部材は、射出成形用金型を用いて一体成形されていることを特徴とするものである。
【００１０】
更に、請求項５に記載の発明においては、請求項１〜３に記載の発明において、伸縮性開放部材又はバネ弾性開放部材は、左右のヒンジの間又は１本のヒンジを中央にしてその両サイド側に形成されていることを特徴とするものである。
【００１１】
更に、請求項６に記載の発明においては、請求項３〜５に記載の発明において、バネ弾性開放部材は、本体及び蓋の外側に円曲又は屈曲した状態で突出していることを特徴とするものである。
【００１２】
更に、請求項７に記載の発明においては、請求項６に記載の発明において、バネ弾性部材の円曲又は屈曲部は、ヒンジの回転中心部を通る水平面より上方に位置していることを特徴とするものである。
【００１３】
更に、請求項８に記載の発明においては、請求項１〜７に記載の発明おいて、キャップ本体と伸縮性開放部材又はバネ弾性開放部材間には、伸縮性開放部材又はバネ弾性開放部材間を外側に押し出して支点を変える突起又はバネ板が設けられていて、蓋の開放時の初期動作において、蓋を開放する方向に助勢するように構成されていることを特徴とするものである。
【００１４】
更に、請求項９に記載の発明においては、請求項８に記載の突起又はバネ板は、キャップ本体側又は伸縮性開放部材又はバネ弾性開放部材側に形成されていることを特徴とするものである。
【００１５】
【作用】
蓋は、ヒンジを中心として開閉自在で、金型で一体成形された伸縮性開放部材又はバネ弾性開放部材は、蓋を閉じた状態においては蓄勢され、蓋のロックを解除すると前記蓄勢された力が解放されて蓋はヒンジを中心として自開する。伸縮性開放部材及びバネ弾性解放部材の内側に突起又はバネ板を介在させた場合には、蓋を閉じた状態においてこの突起又はバネ板の先端で伸縮性開放部材又はバネ弾性解放部材を外側（開放動作側）に押し出している。そして、ロックが外されると、蓋の初期動作において開放動作を助勢することにより、蓋は、何回も開閉動作を繰り返してもスムーズに全開することができる。
【００１６】
【発明の実施の形態】
本発明の対象は、化粧品、飲料等の容器であって、金型で一体成形されたヒンジを中心として開閉するヒンジキャップ又は、プラスチック樹脂を材料に射出成形された各種容器、ケース等の自開式蓋（キャップ）に適用される。ヒンジキャップは、容器等の口頸部にスクリューネジあるいは嵌合機構で取り付けられる本体と、この本体にヒンジを介して取り付けられる蓋体と、伸縮性開放部材又はバネ弾性開放部材から成り、すべて射出成形用金型を用いて一体成形されている。本体又はケース及び蓋及びヒンジは同一材質で、伸縮性開放部材は、ゴム弾性を有するプラスチック樹脂を用い、所謂二色射出成形技術を用いて一体成形する。ゴム弾性を有するプラスチック樹脂としては、例えば東洋紡績株式会社のサーリンク（登録商標）等を用いることができる。
【００１７】
バネ弾性開放部材は、本体又はケース及び蓋及びヒンジと同一材質のもので、形状的に円弧状又はＵ字状に湾曲させたり、Ｖ字状に屈曲させることにより、プラスチック樹脂が持つ固有の弾性を利用する。勿論、この例においても、バネ弾性開放部材と本体、ケース及び蓋側を二色射出成形技術で成形するようにしてもよい。
【００１８】
【実施例１】
本実施例１は、本体及び蓋並びにヒンジと伸縮性開放部材を射出成形用金型を用いて一体成形することにより、ロックを外すと、蓋はヒンジを中心に自開するように構成したもので、請求項１、２、５、８に対応し、図１〜図３にその構造が具体的に示されている。
【００１９】
符号の１は、容器１０の口頸部１１に取付られたキャップ本体であって、蓋２は、２本のヒンジ３、３ａを介してキャップ本体１と一体に射出成形されており、ヒンジ３、３ａを中心に開閉自在である。４は前記キャップ本体１と蓋２間において、ヒンジ３、３ａの間に位置するように一体成形された伸縮性開放部材であって、本実施例１の場合、キャップ本体１及び蓋２並びにヒンジ３、３ａは、ポリプロピレン樹脂を材料に、伸縮性開放部材４の部分は前記したサーリンクを材料に射出成形用金型を用いて所謂二色射出成形法により成形されている。
【００２０】
５はヒンジ３、３ａと伸縮性開放部材４間に設けた空間部であって、ヒンジ側３、３ａと伸縮性開放部材４側との動きの干渉を回避するために設けられている。図１〜３において、Ｐは、蓋２が閉じたときに、伸縮性開放部材４を内側から外側に押し出していて、収縮時に蓋２側にスムーズに自開する方向に力がかかるようにするために、キャップ本体１側から突出させた突起である。但し、この突起Ｐは、伸縮性開放部材４側に形成してもよい。この突起Ｐは請求項８に対応している。
【００２１】
上記ヒンジキャップにおいては、図２に示すように、蓋２を閉じた状態においては、伸縮性開放部材４は、突起Ｐの先端で外側に押し出されていて、外側に無理に引っ張られた状態になることから、収縮力がより高められた状態となっている。そして、図２において矢印ａ方向に爪６を押して下げると、蓋２のロックが解除され、伸縮性開放部材４の収縮力により、蓋２は図３に示すようにヒンジ３、３ａを中心に９０°以上自開する。但し、この開放角度は、容器（キャップ）の用途によって任意である。
実施例１の蓋２は、本体１及びヒンジ３、３ａ、伸縮性開放部材４と一体射出成形を行っているため、製造が簡単で、組み立ての手数も無い。このため、低価格で自開式ヒンジキャップを提供できる。
【００２２】
【実施例２】
本実施例２は、請求項３〜８に対応するもので、図４〜図６に示すように、ヒンジ３、３ａの間であって、キャップ本体１及び蓋２の内側にＬ字状に湾曲したバネ弾性開放部材７を実施例１と同じように一体成形したものである。なお、バネ弾性開放部材７は、図６に示すようにＷ形に屈曲させた形状のバネ弾性開放部材８としてもよい。そして、このバネ弾性開放部材７、８は、両端のうち、何れか一方の端はフリーとしても良いし（図５の状態）、両端を夫々キャップ本体１と蓋２側に連結した構成としても良い（図６の状態）。
【００２３】
本実施例２においては、蓋２を閉じた状態においては、バネ弾性開放部材７、８は、キャップ本体１と蓋２間において圧迫により変形していて、爪６が外されるとバネ弾性により、図５、図６に示すように蓋２を全開にする。なお、バネ弾性開放部材７、８の形状は、蓋２を自開させる形状である限り、任意である。又、図５、６に示すように、バネ弾性開放部材７、８とキャップ本体１間に突起Ｐを形成して、キャップ開放動作を開放初期において助勢するようにしても良い（請求項８に対応）。
【００２４】
【実施例３】
本実施例３は、請求項６に対応しており、バネ弾性開放部材９をヒンジ３、３ａ間において、蓋２の外側にＵ字状に湾曲させて突出させたもので、Ｕ字状のバネ弾性開放部材９は、図７に示すように、連結帯部９ａ、９ｂと湾曲部９ｃから成り、連結帯部９ｂの裏には、支点を外におくために突起Ｐが形成されている。蓋２が閉じられた状態において、バネ弾性開放部材９は、強制的に曲げられていて、爪６が解除されると、図８に示すように、バネ弾性部材９の復元の作用で蓋２を全開とする。なお、Ｕ字状に形成したバネ弾性開放部材９の形状は、Ｕ字状に限定される訳ではなく、Ｖ字状等であっても良い。
この実施例３は、蓋２を大きく９０°以上に開放する構造に適し、バネ弾性開放部材９には、蓋２を閉じた際、無理な力がかからない利点がある。
【００２５】
【実施例４】
図９（Ａ）は上記Ｕ字状又はＶ字状に形成されたバネ弾性開放部材９において、この円曲部又は屈曲部９ｃの位置を、ヒンジ３の回転中心３ａを含む水平面Ｌよりも上方に位置された実施例である（請求項７に対応）。このようにすると、（Ｂ）に示すように蓋２を自開させるテンションのかかりがヒンジ３の回転中心部３ａよりも上方から外側に位置して、開きの初動がスムーズになる。
【００２６】
【実施例５】
図１０（Ａ）（Ｂ）は、請求項８に対応しており、上記した実施例１〜３において説明した突起Ｐについての構成と作用を詳しく説明したものである。（Ａ）は突起Ｐの先端で伸縮性開放部材４又はバネ弾性開放部材７又は８又は９を外側に押し出している状態、（Ｂ）は、蓋２のロックが解除されて蓋２が開く初期段階における伸縮性開放部材４又はバネ弾性開放部材７又は８又は９の働きを示すもので、回転角Ｒの間、突起Ｐの作用で外に押し出された伸縮性開放部材４又はバネ弾性開放部材７又は８又は９は、強く蓋２を開放する方向に引く。
この作用により、蓋２が開く初期動作をスムーズに行うことができる。
なお、突起Ｐは、伸縮性開放部材４又はバネ弾性開放部材７又は８又は９の内側に形成しても良い。図１０（Ａ）（Ｂ）において、符号の４、８、９は省略している。
【００２７】
【実施例６】
図１１は、請求項８に対応しており、上記突起Ｐに替えて、蓋２の内側にバネ板１２を形成し、本体１側にバネ板円曲空間１ａを形成し、蓋２を閉じた状態において（Ａ）、このバネ板１２は空間１ａ内において強制的に円曲されており、ロックが外されると、バネ板１２の復元の作用で蓋２は初期動作において助勢され、その後はバネ弾性開放部材９の作用で全開する。
なお、バネ板１２は、本体１側に形成しても良く、又、バネ板１２の形状は、初期動作を助勢する形状である限り、任意である。
【００２８】
なお、上記実施例１〜６において、ヒンジは、３と３ａに分かれているが、一体（一本）でもよく、このとき、伸縮性開放部材４又はバネ弾性開放部材７又は８又は９は、１本のヒンジを間にして左右に一体成形する。また、上記実施例１〜６において、蓋２は爪６でロック及び解除する構成であるが、このロック手段は、任意である。
【００２９】
【発明の効果】
本発明は以上のとおり、キャップ本体とキャップ及びヒンジ並びに伸縮性開放部材又はバネ弾性開放部材を射出成形用金型を用いて一体成形したことにより、生産が簡単で、組み立てに手数がかからず、製造コストの安い自開型のヒンジキャップを提供できる。又、本発明は、容器のキャップに限らず、各種のケース等であって、射出成形用金型を用いて成形する製品にも適用することができ、これらの例も、本発明の技術的範囲である。
又、本発明は、突起又はバネ板をキャップ本体と伸縮性開放部材又はバネ弾性開放部材間に形成することにより、蓋の初期開放動作をスムーズに行うことができる。
【図面の簡単な説明】
【図１】伸縮性開放部材を一体成形した本発明に係るヒンジキャップの説明図。
【図２】伸縮性開放部材を一体成形した本発明に係るヒンジキャップの側面図。
【図３】蓋を全開した状態の本発明に係るヒンジキャップの説明図。
【図４】バネ弾性開放部材を一体成形した本発明に係るヒンジキャップの説明図。
【図５】Ｌ字状に湾曲したバネ弾性開放部材の説明図。
【図６】Ｗ形に屈曲したバネ弾性開放部材の説明図。
【図７】Ｕ字状に湾曲したバネ弾性開放部材の説明図。
【図８】Ｕ字状に湾曲したバネ弾性開放部材で蓋が全開した状態の説明図。
【図９】実施例４の説明図。
【図１０】実施例５の説明図。
【図１１】実施例６の説明図。
【図１２】従来のコイルスプリングを用いた自開型キャップの説明図。
【符号の説明】
１　キャップ本体
２　蓋
３、３ａ　ヒンジ
４　伸縮性開放部材
５　空間部
６　爪
７、８、９　バネ弾性開放部材
１０　容器
１１　口頸部
１２　バネ板
【図１】
2004067185.tif 000003
【図２】
2004067185.tif 000004
【図３】
2004067185.tif 000005
【図４】
2004067185.tif 000006
【図５】
2004067185.tif 000007
【図６】
2004067185.tif 000008
【図７】
2004067185.tif 000009
【図８】
2004067185.tif 000010
【図９】
2004067185.tif 000011
【図１０】
2004067185.tif 000012
【図１１】
2004067185.tif 000013
【図１２】
2004067185.tif 000014